(57)【要約】【課題】データを記録する際の記録媒体に対する対物レンズの位置を最適にするディスク記録再生装置を提供する。【解決手段】光ディスク装置１は、対物レンズ１６を光ディスク１ａに対して段階的に異なるフォーカス位置に移動させつつ、光ディスク１ａ上のＰＣＡ領域にデータを記録する。光ディスク１ａ上のＰＣＡ領域に記録されたデータを再生部１７及びＲＦ信号生成部１８が再生し、得られたＲＦ信号の振幅を、フォーカス位置特定部２１が、異なるフォーカス位置のそれぞれに対応して算出する。フォーカス位置特定部２１は、それぞれ算出したＲＦ信号の振幅の標準偏差を更に算出し、算出した振幅の標準偏差が最小となったＲＦ信号を特定する。フォーカス位置特定部２１は、特定したＲＦ信号に対応する対物レンズ１６のフォーカス位置を更に特定し、光ディスク１ａへのデータの記録時における最適なフォーカス位置としてＥＥＰＲＯＭ２２に記憶させる。【選択図】図１
2008052799.tif 000002
【特許請求の範囲】
【請求項１】
ディスク形状の記録媒体の装着が可能な装着部と、該装着部に装着された記録媒体に対向配置される対物レンズと、該対物レンズを介して光ビームを前記記録媒体上に照射させてデータを記録する記録手段と、前記記録媒体に記録されているデータを再生して再生信号を出力する再生手段と、該再生手段が出力した再生信号の状態に基づいて、前記対物レンズを前記記録媒体に対して接離する方向に移動させる移動手段とを備えるディスク記録再生装置において、
前記記録手段によって前記記録媒体に記録されたデータを前記再生手段が再生して出力した再生信号に基づいて、データを記録する際の前記記録媒体に対する前記対物レンズの位置を特定する特定手段を備えることを特徴とするディスク記録再生装置。
【請求項２】
前記移動手段は、前記記録媒体に対して段階的に異なる複数の位置に前記対物レンズを移動させるように構成してあり、
前記特定手段は、
前記移動手段が前記対物レンズを移動させたそれぞれの位置に対応して、各位置に移動された対物レンズを介して前記記録手段が前記記録媒体上に記録したデータを前記再生手段が再生して出力した再生信号における振幅のばらつきを算出する手段を備え、
算出した振幅のばらつきが最小となる再生信号に対応する前記対物レンズの位置を特定するように構成してあることを特徴とする請求項１に記載のディスク記録再生装置。
【請求項３】
前記特定手段が特定した位置に前記移動手段が移動させた対物レンズを介して前記記録手段が前記記録媒体上に記録したデータを前記再生手段が再生して出力した再生信号の状態に基づいて、データを記録する際の前記光ビームの記録用パワーを調整する調整手段を備えることを特徴とする請求項１又は２に記載のディスク記録再生装置。
【発明の詳細な説明】
【技術分野】
【０００１】
本発明は、ディスク形状の記録媒体上に光ビームを照射させてデータを記録し、記録媒体に記録されたデータを再生するディスク記録再生装置に関するものである。
【背景技術】
【０００２】
ＤＶＤ−Ｒ、ＤＶＤ−ＲＷ、ＤＶＤ＋ＲＷ、ＤＶＤ−ＲＯＭ、ＣＤ−Ｒ及びＣＤ−ＲＷ等の光ディスク上に光ビームを用いて情報を書き込む光ディスク装置は、所定の載置トレイ上に載置された光ディスクに対物レンズを対向配置している。光ディスク装置は、対物レンズを介して収束させた光ビームを光ディスクに照射させて情報の記録再生処理を行なうため、光ディスクの記録面に対して最適な距離を隔てた最適なフォーカス位置に対物レンズを配置させる必要がある。
【０００３】
特許文献１では、光ディスクに対する対物レンズのフォーカス位置を種々に変化させつつ光ディスクからの情報の再生処理を行ない、その際の再生性能を測定し、再生時における最適なフォーカス位置を特定する光ディスク装置が開示されている。このように特定された最適なフォーカス位置に配置された対物レンズを用いて光ディスクからの情報の再生処理を行なうことにより、光ディスクと光ディスク装置との特性の相違、周辺温度等を考慮した最適な条件での再生処理が可能になり、光ディスクから精度よく情報を読み出すことができる。
【０００４】
また、光ディスク装置は、光ディスク上に情報を書き込む際、最適な記録用パワーを決定するためにＯＰＣ（Optimum Power Control）処理を行なうように構成されている。ＯＰＣ処理とは、光ディスク上に予め設けられたテスト領域に対して、記録用パワーを段階的に変化させつつテストパターンの書き込みを行ない、書き込まれたテストパターンを読み出して再生することにより得られたＲＦ（Radio Frequency）信号に基づいて最適な記録用パワーを決定する処理のことである。このようなＯＰＣ処理によって決定された最適な記録用パワーで光ディスクへの書き込みを行なうことにより、各別の光ディスクにおける記録感度のばらつき、光ディスクと光ディスク装置との特性の相違、周辺温度等を考慮した最適な条件での書き込み処理が可能になり、光ディスク上に書き込まれた情報の信頼性を確保することができる。
【特許文献１】特開２００２−１９０１１１号公報
【発明の開示】
【発明が解決しようとする課題】
【０００５】
ここで、光ディスク装置には、光ディスクから情報を読み出す場合と光ディスクに情報を書き込む場合とにおいて、光ディスクに対する対物レンズの最適なフォーカス位置が異なる装置がある。しかし、上述した特許文献１の光ディスク装置では、光ディスクから情報を読み出す際の最適なフォーカス位置を特定することはできるが、光ディスクに情報を書き込む際の最適なフォーカス位置を特定することはできない。
【０００６】
従って、例えば、予め設定されたフォーカス位置、即ち、光ディスクに対して最適でないフォーカス位置の対物レンズを用いて光ディスクへの情報の記録処理を行なった場合、光ディスクに書き込まれた情報の信頼性が低下してしまう虞がある。また、光ディスクに対して最適でないフォーカス位置の対物レンズを用いてＯＰＣ処理を行なった場合、ＯＰＣ処理によって特定された最適な記録用パワーが、真に最適な記録用パワーとならない場合があり、ＯＰＣ処理における信頼性が低下する。更に、このようなＯＰＣ処理によって特定された最適でない虞のある記録用パワーのレーザ光によって光ディスクへの情報の記録処理を行なった場合、光ディスクに書き込まれた情報の信頼性がより低下してしまう虞があるという問題を有している。
【０００７】
本発明は斯かる事情に鑑みてなされたものであり、その目的とするところは、記録媒体へのデータの記録処理時における記録媒体に対する対物レンズの位置を最適な位置にすることができ、最適な位置に移動された対物レンズを用いて記録媒体へのデータの記録処理を行なうことにより、記録媒体に記録されたデータの信頼性を向上させることが可能なディスク記録再生装置を提供することにある。
【０００８】
本発明の他の目的は、記録媒体上により精度よくデータを記録することが可能な、記録媒体に対する対物レンズの位置を特定することができ、この最適な位置に移動された対物レンズを用いて記録媒体へのデータの記録処理を行なうことにより、記録媒体に記録されたデータの信頼性をより向上させることが可能なディスク記録再生装置を提供することにある。
【０００９】
更に、本発明の他の目的は、記録媒体へのデータの記録処理時における最適な位置に移動させた対物レンズを用いて記録媒体に記録したデータを再生し、得られた再生信号の状態に基づいて、データを記録する際の光ビームの記録用パワーをより最適に調整することができ、記録用パワーの調整処理における信頼性をより向上させることが可能なディスク記録再生装置を提供することにある。
【課題を解決するための手段】
【００１０】
本発明に係るディスク記録再生装置は、ディスク形状の記録媒体の装着が可能な装着部と、該装着部に装着された記録媒体に対向配置される対物レンズと、該対物レンズを介して光ビームを前記記録媒体上に照射させてデータを記録する記録手段と、前記記録媒体に記録されているデータを再生して再生信号を出力する再生手段と、該再生手段が出力した再生信号の状態に基づいて、前記対物レンズを前記記録媒体に対して接離する方向に移動させる移動手段とを備えるディスク記録再生装置において、前記記録手段によって前記記録媒体に記録されたデータを前記再生手段が再生して出力した再生信号に基づいて、データを記録する際の前記記録媒体に対する前記対物レンズの位置を特定する特定手段を備えることを特徴とする。
【００１１】
本発明によれば、対物レンズを介して光ビームを記録媒体上に照射させてデータを記録する記録手段を備えるディスク記録再生装置が、前記記録手段によって記録媒体上に記録したデータを再生し、得られた再生信号の状態に基づいて、データを記録する際の記録媒体に対する対物レンズの位置を特定する。よって、記録媒体へのデータの記録処理時における記録媒体に対する対物レンズの最適な位置を特定することが可能となる。
【００１２】
本発明に係るディスク記録再生装置は、前記移動手段は、前記記録媒体に対して段階的に異なる複数の位置に前記対物レンズを移動させるように構成してあり、前記特定手段は、前記移動手段が前記対物レンズを移動させたそれぞれの位置に対応して、各位置に移動された対物レンズを介して前記記録手段が前記記録媒体上に記録したデータを前記再生手段が再生して出力した再生信号における振幅のばらつきを算出する手段を備え、算出した振幅のばらつきが最小となる再生信号に対応する前記対物レンズの位置を特定するように構成してあることを特徴とする。
【００１３】
本発明によれば、ディスク記録再生装置が、記録媒体に対して段階的に異なる位置に対物レンズを移動させつつ、それぞれの位置に移動された対物レンズを用いて記録媒体へのデータの記録処理を行なう。また、ディスク記録再生装置は、それぞれの位置に移動された対物レンズを用いて記録媒体に記録されたデータを再生し、得られた再生信号における振幅のばらつきを、それぞれの位置に対応して算出する。更に、ディスク記録再生装置は、算出した振幅のばらつきが最小となる再生信号に対応する位置を特定する。よって、再生信号における振幅のばらつきが最小となる位置、即ち、記録媒体上により精度よくデータを記録することができる位置を特定することが可能となる。
【００１４】
本発明に係るディスク記録再生装置は、前記特定手段が特定した位置に前記移動手段が移動させた対物レンズを介して前記記録手段が前記記録媒体上に記録したデータを前記再生手段が再生して出力した再生信号の状態に基づいて、データを記録する際の前記光ビームの記録用パワーを調整する調整手段を備えることを特徴とする。
【００１５】
本発明によれば、ディスク記録再生装置が、記録媒体へのデータの記録処理時における最適な位置に移動させた対物レンズを用いて記録媒体にデータを記録する。そして、ディスク記録再生装置は、記録媒体に記録したデータを再生し、得られた再生信号の状態に基づいて、データを記録する際の光ビームの記録用パワーを調整する。従って、最適な位置の対物レンズを用いて精度よく記録媒体に記録されたデータを再生して得られた再生信号の状態に基づいて、データを記録する際の光ビームの記録用パワーをより最適に調整することができ、この調整処理の信頼性を向上させることが可能となる。
【発明の効果】
【００１６】
本発明では、ディスク記録再生装置が、記録手段によって記録媒体上に記録したデータを再生し、得られた再生信号の状態に基づいて、データを記録する際の記録媒体に対する対物レンズの位置を特定する。よって、実際に記録媒体上にデータを記録する前に、記録媒体へのデータの記録処理時における記録媒体に対する対物レンズの最適な位置を特定しておくことにより、この最適な位置に移動された対物レンズを用いて記録媒体へのデータの記録処理を行なった場合、記録媒体に記録されたデータの信頼性を向上させることができる。従って、記録媒体に対するデータの再生処理時及び記録処理時において、記録媒体に対する対物レンズの最適な位置が異なる装置であっても、記録処理時における最適な位置の対物レンズによるデータの記録処理が可能となる。
【００１７】
本発明では、ディスク記録再生装置が、記録媒体に対して段階的に異なる位置に対物レンズを移動させつつ、それぞれの位置に移動された対物レンズを用いて記録媒体へのデータの記録処理を行なう。また、ディスク記録再生装置は、記録媒体に記録したデータを再生し、得られた再生信号における振幅のばらつきを、対物レンズのそれぞれの位置に対応して算出し、振幅のばらつきが最小となる再生信号に対応する位置を特定する。よって、再生信号における振幅のばらつきが最小となる位置、即ち、記録媒体上により精度よくデータを記録することができる位置を、データの記録処理時における最適な位置として特定することができる。また、特定された最適な位置に移動された対物レンズを用いて記録媒体へのデータの記録処理を行なうことにより、記録媒体に記録されたデータの信頼性をより向上させることができる。
【００１８】
本発明では、ディスク記録再生装置が、記録媒体へのデータの記録処理時における最適な位置に移動させた対物レンズを用いて精度よく記録媒体に記録したデータを再生し、得られた再生信号の状態に基づいて、データを記録する際の光ビームの記録用パワーを調整する。よって、データを記録する際の光ビームの記録用パワーをより最適に調整することができ、この調整処理の信頼性を向上させることができる。また、このように調整された最適な位置の対物レンズ及び記録用パワーのレーザ光を用いて記録媒体へのデータの記録処理を行なうことにより、記録媒体上に書き込まれたデータの信頼性をより確保することができる。
【発明を実施するための最良の形態】
【００１９】
以下に、本発明に係るディスク記録再生装置を、その実施の形態である光ディスク装置を示す図面に基づいて詳述する。図１は本発明に係るディスク記録再生装置としての光ディスク装置の要部構成例を示すブロック図であり、図中１は本発明のディスク記録再生装置としての光ディスク装置を示している。
【００２０】
なお、本実施形態では、レーザ出力部１５からのレーザ光（光ビーム）のみにより光ディスク１ａにデータの記録再生処理を行なう光ディスク装置１を例として説明する。但し、本発明は、レーザ光を用いてディスク形状の記録媒体にデータを記録再生するものであればよい。例えば、レーザ出力部１５からのレーザ光と磁気ヘッドからの磁界とにより光磁気ディスクにデータを記録再生する光磁気ディスク記録再生装置にも本発明を適用することができる。従って、記録媒体としては、ＣＤ−Ｒ、ＣＤ−ＲＷ、ＤＶＤ−Ｒ、ＤＶＤ−ＲＷ、ＤＶＤ−ＲＡＭ、ＤＶＤ＋ＲＷ等の光ディスク、ＭＯ等の光磁気ディスクを用いることができる。
【００２１】
本実施形態の光ディスク装置１は、ＲＯＭ及びＲＡＭが内蔵されたＣＰＵ（Central Processing Unit ）又はＭＰＵ（Micro Processor Unit）等で構成された制御部１０を備えている。制御部１０は、光ディスク装置１に設けられた後述するようなハードウェア各部の動作を制御すると共に、自身に内蔵されたＲＯＭに予め格納されている制御プログラムを適宜ＲＡＭに読み出して実行する。ＲＯＭには、光ディスク装置１を本発明に係るディスク記録再生装置として動作させるために必要な種々の制御プログラムが予め格納されている。ＲＡＭはＳＲＡＭ又はＳＤＲＡＭ等で構成されており、制御部１０による制御プログラムの実行時に発生するデータを一時的に記憶する。
【００２２】
光ディスク装置１は、図示しないが、光ディスク１ａの装着が可能な載置トレイ（装着部）を備えている。また、光ディスク装置１は、載置トレイ上に載置（装着）された光ディスク１ａを回転させるスピンドルモータ１２、スピンドルモータ１２を駆動させるモータ駆動部１１を備えている。モータ駆動部１１が、制御部１０からの指示に従って、スピンドルモータ１２を駆動させることにより、光ディスク１ａを定角速度（ＣＡＶ：Constant Angular Velocity）又は定線速度（ＣＬＶ：Constant Linear Velocity）で回転させる。
【００２３】
更に、光ディスク装置１は、スピンドルモータ１２によって回転している光ディスク１ａの表面に対向配置される対物レンズ１６、対物レンズ１６を光ディスク１ａの表面に対して接離する方向に移動させるアクチュエータ（移動手段）１３、対物レンズ１６を介して光ディスク１ａの表面にレーザ光を照射するレーザ出力部１５、レーザ出力部１５が出力するレーザ光のレーザパワーを制御するレーザパワー制御部１４を備えている。
【００２４】
レーザパワー制御部１４は、制御部１０からの指示に従って、光ディスク１ａ上にデータを記録する際には記録用パワーのレーザ光を、光ディスク１ａ上のデータを再生する際には再生用パワーのレーザ光を、レーザ出力部１５にそれぞれ照射させる。アクチュエータ１３は、モータ駆動部１１による制御に従って、光ディスク１ａ上にデータを記録する際には記録用のフォーカス位置に、光ディスク１ａ上のデータを再生する際には再生用のフォーカス位置に、対物レンズ１６をそれぞれ移動させる。
【００２５】
このような構成により、アクチュエータ１３が、光ディスク１ａの表面に対して適切なフォーカス位置に対物レンズ１６を移動させつつ、レーザパワー制御部１４がレーザ出力部１５によって適切なレーザパワーのレーザ光を照射させることにより、光ディスク装置１は、スピンドルモータ１２によって回転している光ディスク１ａ上の適切な記録領域に対して、データの記録処理又は再生処理を行なうことができる。
【００２６】
光ディスク装置１が光ディスク１ａに対して記録処理を行なう場合、制御部１０は、最適な記録条件として予め設定された記録パルス幅、記録用パワー等に基づいて、光ディスク１ａに記録すべきデータに応じた記録パルスを生成してレーザパワー制御部１４へ出力する。レーザパワー制御部１４は、制御部１０から出力された記録パルスに従って、レーザ出力部（記録手段）１５にレーザ光を照射させ、光ディスク１ａ上の適切な記録領域に、対物レンズ１６によってレーザ光を収束させ、データの記録処理を行なう。
【００２７】
光ディスク装置１は、再生部１７、ＲＦ信号生成部１８、ＯＰＣ処理部１９、レーザパワー特定部２０、フォーカス位置特定部２１、ＥＥＰＲＯＭ２２等を更に備えている。光ディスク装置１が光ディスク１ａに対して再生処理を行なう場合、レーザパワー制御部１４が、制御部１０からの指示に従って、再生用パワーのレーザ光をレーザ出力部１５に照射させ、光ディスク１ａ上の適切な記録領域に、対物レンズ１６によってレーザ光を収束させる。また、再生部（再生手段）１７が、光ディスク１ａ上に照射されたレーザ光の光ディスク１ａからの反射光を電気信号に変換してＲＦ信号生成部１８へ出力する。
【００２８】
ＲＦ信号生成部１８は、再生部１７から出力された電気信号に対して信号増幅処理を行ない、増幅した電気信号に所定の閾値電圧に基づいて２値化処理する。また、ＲＦ信号生成部１８は、２値化処理によって得られた２値化信号に対してＰＬＬ（Phase Locked Loop）回路によるクロック検出処理を行ない、検出したクロック信号に基づいて２値化信号を復号処理することにより、再生信号であるＲＦ信号を最適化する。このようにして得られたＲＦ信号はＯＰＣ処理部１９又はフォーカス位置特定部２１へ出力される。なお、ＲＦ信号生成部１８は、再生部１７及びＲＦ信号生成部１８によるデータの再生処理の際のノイズ、光ディスク１ａ上の傷又は汚れ等により発生したデータの誤り（エラー）を検出する処理を行なっており、誤り訂正が可能な場合にはデータの訂正処理も行なう。
【００２９】
ＯＰＣ処理部１９は、光ディスク装置１が光ディスク１ａに対して記録処理を行なう際に、レーザ出力部１５が最適な記録用パワーのレーザ光を照射するためのＯＰＣ処理における各種の処理を行なう。具体的には、光ディスク１ａ上に予め設定されたＰＣＡ（Power Calibration Area）領域に対して、レーザパワー制御部１４が、レーザ出力部１５によって出力されるレーザ光の記録用パワーを段階的に変化させつつ記録処理を行なった後、このＰＣＡ領域に記録されたデータの再生処理を行なった場合にＲＦ信号生成部１８が生成したＲＦ信号に基づいて、ＯＰＣ処理部（調整手段）１９が最適な記録用パワーを決定するＯＰＣ処理を行なう。
【００３０】
より具体的には、ＯＰＣ処理部１９は、光ディスク１ａ上のＰＣＡ領域に記録されたデータを再生して得られたＲＦ信号に対して、それぞれの記録用パワー毎に、所定期間内における最大値Ａ１及び最小値Ａ２を以下の式１に代入することによりβ値を算出する。また、図示しないメモリには、予め設定された最適なβ値が格納されている。そして、レーザパワー特定部２０が、ＯＰＣ処理部１９によってそれぞれの記録用パワー毎に算出された各β値と、メモリに格納されている最適なβ値とを比較することにより、最適な記録用パワー（レーザパワー）を特定する。レーザパワー特定部２０によって特定された最適な記録用パワーは、例えば制御部１０のＲＡＭに格納される。
【００３１】
β＝（Ａ１＋Ａ２）／（Ａ１−Ａ２）  …（式１）
【００３２】
フォーカス位置特定部２１は、光ディスク装置１が光ディスク１ａにデータを記録する際の光ディスク１ａに対する対物レンズ１６の最適なフォーカス位置を特定するための各種の処理を行なう。具体的には、光ディスク１ａ上のＰＣＡ領域に対して、アクチュエータ１３が、モータ駆動部１１による制御に従って光ディスク１ａの表面に対して段階的に異なるフォーカス位置に対物レンズ１６を移動させつつ、レーザ出力部１５が一定の記録用パワーで出力するレーザ光による記録処理を行なう。その後、このＰＣＡ領域に記録されたデータを再生部１７が再生した場合にＲＦ信号生成部１８が生成したＲＦ信号に基づいて、フォーカス位置特定部（特定手段）２１が最適なフォーカス位置を特定する。
【００３３】
より具体的には、フォーカス位置特定部２１は、光ディスク１ａ上のＰＣＡ領域に記録されたデータを再生して得られたＲＦ信号において、段階的に異なるフォーカス位置のそれぞれに対応するＲＦ信号に対して、所定時間毎に区分し、各区分におけるＲＦ信号の振幅を算出する。また、フォーカス位置特定部２１は、各区分毎に算出したＲＦ信号の振幅に基づいて、異なるフォーカス位置のそれぞれに対して、ＲＦ信号の振幅のばらつき、具体的には、ＲＦ信号の振幅の標準偏差を算出する。更に、フォーカス位置特定部２１は、それぞれのフォーカス位置に対応して算出した振幅の標準偏差が最小となったＲＦ信号を特定し、特定したＲＦ信号を再生した光ディスク１ａ上の記録領域を特定し、特定した記録領域にデータを記録した際の対物レンズ１６の光ディスク１ａに対するフォーカス位置を特定する。なお、ここで特定されたフォーカス位置は、光ディスク１ａへのデータの記録処理時における最適なフォーカス位置であり、フォーカス位置特定部２１は、特定したフォーカス位置をＥＥＰＲＯＭ２２に記憶させる。
【００３４】
フォーカス位置特定部２１によって最適なフォーカス位置が特定された場合、制御部１０は、ＥＥＰＲＯＭ２２に記憶された最適なフォーカス位置に基づいて、モータ駆動部１１を適切に制御することにより、モータ駆動部１１からの制御に従って、アクチュエータ１３が、光ディスク１ａに対して最適なフォーカス位置に対物レンズ１６を移動させる。また、上述したように、レーザパワー特定部２０によって特定された最適な記録用パワー及びフォーカス位置特定部２１によって特定された最適なフォーカス位置は、光ディスク１ａに対して最適な記録用パワー及びフォーカス位置であり、光ディスク１ａに対する以降の記録処理の際に用いられる。
【００３５】
なお、ＯＰＣ処理部１９は、再生部１７が光ディスク１ａ上のＰＣＡ領域の再生処理を行なった場合に、ＲＦ信号生成部１８による２値化処理によって得られた２値化信号と、ＰＬＬ回路によるクロック検出処理によって検出されたクロック信号との位相差に基づいてＲＦ信号のジッタ値を算出し、算出したジッタ値に基づいてレーザパワー特定部２０が最適な記録用パワーを決定してもよい。具体的には、ＯＰＣ処理部１９は、ＯＰＣ処理のために段階的に設定された記録用パワーのそれぞれに対応するジッタ値を算出し、レーザパワー特定部２０は、算出されたジッタ値が、例えば最小値となる記録用パワーを最適な記録用パワーに決定する。
【００３６】
レーザパワー特定部２０は、このようにＲＦ信号におけるβ値又はジッタ値に基づいて特定した最適な記録用パワーを制御部１０へ通知する。そして、制御部１０は、光ディスク１ａに記録すべきデータに応じた記録パルスを生成し、レーザパワー制御部１４が、制御部１０によって生成された記録パルスに従ってレーザ出力部１５にレーザ光を照射させ、光ディスク１ａへのデータの記録処理を行なう。このように最適な記録用パワーによって光ディスク１ａ上にデータを書き込むことにより、データの信頼性を確保することができる。
【００３７】
ここで、本実施形態の光ディスク装置１は、実際に光ディスク１ａに対してデータの記録処理を行なう前にＯＰＣ処理部１９によるＯＰＣ処理を行なっており、更に、ＯＰＣ処理部１９によるＯＰＣ処理を行なう前に、フォーカス位置特定部２１による最適なフォーカス位置の特定処理を行なう構成である。従って、フォーカス位置特定部２１によって特定された最適なフォーカス位置に移動された対物レンズ１６を用いて光ディスク１ａ上に記録されたデータに基づいてＯＰＣ処理を実行するので、より最適な記録用パワーを特定することができ、ＯＰＣ処理における信頼性を向上させることができる。また、このように特定された最適なフォーカス位置の対物レンズ１６及び記録用パワーのレーザ光によって光ディスク１ａ上にデータを記録することにより、光ディスク１ａ上のデータの信頼性をより確保することができる。
【００３８】
以下に、上述した構成の光ディスク装置１において、光ディスク１ａ上にデータを記録する際の最適なフォーカス位置を特定するフォーカス位置特定処理について説明する。図２は本実施形態に係る光ディスク装置１におけるフォーカス位置特定処理の手順を示すフローチャートである。なお、以下の処理は、制御部１０に内蔵されたＲＯＭに予め格納されている制御プログラムに従って制御部１０によって実行される。
【００３９】
光ディスク装置１において、制御部１０は、光ディスク１ａ上に予め設定されたＰＣＡ領域に対して、アクチュエータ１３によって、光ディスク１ａの表面に対して段階的に異なるフォーカス位置に対物レンズ１６を移動させつつ、レーザ出力部１５によって一定の記録用パワーでレーザ光を出力させ、記録処理を実行する。制御部１０は、全てのフォーカス位置での記録処理が終了したか否かを判断し（Ｓ１）、終了していないと判断した場合（Ｓ１：ＮＯ）、アクチュエータ１３によって適宜対物レンズ１６のフォーカス位置を変更しながら光ディスク１ａへの記録処理を継続し（Ｓ２）、ステップＳ１に処理を戻す。
【００４０】
制御部１０は、全てのフォーカス位置での記録処理が終了したと判断した場合（Ｓ１：ＹＥＳ）、それぞれのフォーカス位置に対応してデータが記録された全ての記録領域における再生処理が終了したか否かを判断する（Ｓ３）。制御部１０は、全ての記録領域における再生処理が終了していないと判断した場合（Ｓ３：ＮＯ）、再生部１７及びＲＦ信号生成部１８によって再生処理を行ない、次のフォーカス位置に対応してデータが記録された記録領域におけるＲＦ信号を取得する（Ｓ４）。
【００４１】
次に制御部１０は、フォーカス位置特定部２１によって、取得したＲＦ信号を所定時間毎に区分し、各区分におけるＲＦ信号の振幅を算出し（Ｓ５）、各区分毎に算出したＲＦ信号の振幅に基づいて、ＲＦ信号の振幅の標準偏差を算出し（Ｓ６）、ステップＳ３に処理を戻し、全ての記録領域における再生処理が終了するまで、上述したようなステップＳ３からステップＳ６の処理を繰り返す。
【００４２】
制御部１０は、全ての記録領域における再生処理が終了したと判断した場合（Ｓ３：ＹＥＳ）、フォーカス位置特定部２１によって、それぞれのフォーカス位置に対応して算出したＲＦ信号の振幅の標準偏差において、最小となったＲＦ信号を特定する（Ｓ７）。また、制御部１０は、フォーカス位置特定部２１によって、特定したＲＦ信号を再生した光ディスク１ａ上の記録領域を特定し（Ｓ８）、特定した記録領域にデータを記録した際の対物レンズ１６の光ディスク１ａに対するフォーカス位置を特定する（Ｓ９）。更に、制御部１０は、フォーカス位置特定部２１によって、特定したフォーカス位置を最適なフォーカス位置としてＥＥＰＲＯＭ２２に記憶させ（Ｓ１０）、上述したようなフォーカス位置特定処理を終了する。
【００４３】
以下に、上述したフォーカス位置特定処理を行なう本実施形態の光ディスク装置１において、所定の載置トレイに載置された光ディスク１ａにデータを記録する処理について説明する。図３は本実施形態に係る光ディスク装置１におけるデータの記録処理の手順を示すフローチャートである。なお、以下の処理は、制御部１０に内蔵されたＲＯＭに予め格納されている制御プログラムに従って制御部１０によって実行される。
【００４４】
光ディスク装置１において、制御部１０は、所定の載置トレイに光ディスク１ａが載置されたか否かを判断し（Ｓ１１）、載置されていないと判断した場合（Ｓ１１：ＮＯ）、待機する。制御部１０は、載置トレイに光ディスク１ａが載置されたと判断した場合（Ｓ１１：ＹＥＳ）、載置された光ディスク１ａに対してロード処理を実行する（Ｓ１２）。なお、光ディスク１ａには、光ディスク１ａにデータを記録する際に必要な各種の情報が予め製造メーカによって記録されており、制御部１０は、ステップＳ１２のロード処理によって、これらの情報を取得する。
【００４５】
次に制御部１０は、例えば図示しない操作部をユーザが操作することにより、光ディスク１ａへのデータの記録処理の実行が指示されたか否かを判断しており（Ｓ１３）、指示されていないと判断した場合（Ｓ１３：ＮＯ）、待機する。制御部１０は、光ディスク１ａへのデータの記録処理の実行が指示されたと判断した場合（Ｓ１３：ＹＥＳ）、図２を用いて説明したようなフォーカス位置特定処理を実行する（Ｓ１４）。
【００４６】
また、制御部１０は、ステップＳ１４でＥＥＰＲＯＭ２２に記憶された最適なフォーカス位置に、アクチュエータ１３によって対物レンズ１６を移動させ、ＯＰＣ処理を実行する（Ｓ１５）。具体的には、制御部１０は、モータ駆動部１１及びレーザパワー制御部１４を適切に制御することにより、最適なフォーカス位置に移動された対物レンズ１６を介して収束されたレーザ光によって光ディスク１ａ上のＰＣＡ領域にＯＰＣ処理を行なうためのデータを記録する。また、制御部１０は、光ディスク１ａ上のＰＣＡ領域に記録されたデータを再生部１７及びＲＦ信号生成部１８によって再生し、得られたＲＦ信号に基づくＯＰＣ処理をＯＰＣ処理部１９によって実行する。
【００４７】
制御部１０は、ＯＰＣ処理部１９によるＯＰＣ処理に基づいて、光ディスク１ａへのデータの記録処理時における最適な記録用パワーをレーザパワー特定部２０によって特定し、特定した最適な記録用パワーを、自身のＲＡＭに記憶する（Ｓ１６）。そして、制御部１０は、ステップＳ１４でＥＥＰＲＯＭ２２に記憶された最適なフォーカス位置と、ステップＳ１６で自身のＲＡＭに記憶した最適な記録用パワーとに基づく記録処理を実行する（Ｓ１７）。
【００４８】
上述したように、本実施形態の光ディスク装置１では、光ディスク１ａ上にデータを記録する際の光ディスク１ａに対する対物レンズ１６のフォーカス位置を最適な位置にすることができるので、光ディスク１ａ上に記録されたデータの信頼性を向上させることができる。また、最適なフォーカス位置に移動された対物レンズ１６を用いて光ディスク１ａ上にデータを記録し、このデータを再生して得られたＲＦ信号に基づいてＯＰＣ処理を行なうことにより、より最適なレーザ光の記録用パワーを特定することができる。従って、より精度の高いＯＰＣ処理を可能とすると共に、このＯＰＣ処理によって特定された最適な記録用パワーによって光ディスク１ａ上に記録されたデータの信頼性をより向上させることができる。
【００４９】
上述した本実施形態の光ディスク装置１は、所定の載置トレイ上に載置された光ディスク１ａへのデータの記録処理の実行が指示された場合、データの記録処理を行なう前に、上述のようなフォーカス位置特定処理を行なう構成を有している。しかし、例えば、光ディスク装置１に、周辺温度を測定する温度計を備え、光ディスク装置１の周辺の温度差が所定値よりも大きくなった場合に上述のようなフォーカス位置特定処理を行なうように光ディスク装置１を構成してもよい。また、光ディスク１ａへのデータの記録処理を所定時間以上連続して行なった場合に上述のようなフォーカス位置特定処理を行なうように光ディスク装置１を構成してもよい。
【００５０】
上述した本実施形態では、光ディスク１ａのＰＣＡ領域に記録されたデータを再生して得られたＲＦ信号の振幅のばらつきが最小となる再生信号に対応するフォーカス位置を最適なフォーカス位置としたが、この場合に限られない。例えば、ＲＦ信号の振幅のばらつきが２番目に小さい再生信号に対応するフォーカス位置を最適なフォーカス位置として用いることもできる。この場合、なんらかのノイズが再生信号に乗ってしまい、ＲＦ信号の振幅のばらつきが最小となった再生信号に対応するフォーカス位置が真に最適なフォーカス位置でない場合であっても、振幅のばらつきが２番目に小さい再生信号に対応するフォーカス位置を用いることによって、最適なフォーカス位置を特定することができる。
【図面の簡単な説明】
【００５１】
【図１】本発明に係るディスク記録再生装置としての光ディスク装置の要部構成例を示すブロック図である。
【図２】本実施形態に係る光ディスク装置におけるフォーカス位置特定処理の手順を示すフローチャートである。
【図３】本実施形態に係る光ディスク装置におけるデータの記録処理の手順を示すフローチャートである。
【符号の説明】
【００５２】
１  光ディスク装置（ディスク記録再生装置）
１ａ  光ディスク（記録媒体）
１０  制御部
１３  アクチュエータ（移動手段）
１５  レーザ出力部（記録手段）
１６  対物レンズ
１７  再生部（再生手段）
１９  ＯＰＣ処理部（調整手段）
２１  フォーカス位置特定部（特定手段）
【図１】
2008052799.tif 000003
【図２】
2008052799.tif 000004
【図３】
2008052799.tif 000005